(57)【要約】【課題】  読み取った画像から原稿の種類を判断し、原稿の種類に応じて処理を規制する画像処理装置を提供する。【解決手段】  本発明の画像処理装置Ａは、キャビネット２に、画像読取部２１０と、画像形成部２２０と、画像記憶部４００と、操作部２４０と、制御部３００とを備える。制御部３００は、読み取った画像から綴じられた原稿８０か否かを判別する判別部３０６と、綴じられた原稿８０と判断したときに処理を規制する規制部３０７とを有するＣＰＵ３０１を備える。判別部３０６は、画像読取部２１０から読み取られた画像にある特定領域７０，７１の特定画像を検出する。特定画像を検出すると、判別部３０６は、原稿が綴じられた原稿と判別する。そして、規制部３０７は、処理を中止する。【選択図】図２
2008306462.tif 000002
【特許請求の範囲】
【請求項１】
原稿台に置かれた原稿を読み取る読取部を備えた画像処理装置であって、
読み取った画像から綴じられた原稿か否かを判別する判別部と、綴じられた原稿と判断したときに処理を規制する規制部とを有することを特徴とする画像処理装置。
【請求項２】
判別部は、読み取られた画像にある特定領域の特定画像を検出し、前記特定画像の形態に応じて綴じられた原稿か否かを判別することを特徴とする請求項１に記載の画像処理装置。
【請求項３】
特定領域が画像の略中央にあるとき、判別部は、特定画像が黒スジであるか否かを検出し、黒スジと判断したときに、原稿が綴じられた原稿であると判別することを特徴とする請求項２に記載の画像処理装置。
【請求項４】
特定領域が画像の端部のいずれか一方または両方にあるとき、判別部は、特定画像が黒スジであるか否かを判別し、黒スジと判別したときに、原稿が綴じられた原稿であると判別することを特徴とする請求項２に記載の画像処理装置。
【請求項５】
特定領域が画像の略中央とその周囲を含む領域のとき、判別部は、特定画像が歪んでいるか否かを判別し、歪んでいると判別したときに、原稿が綴じられた原稿であると判別することを特徴とする請求項２に記載の画像処理装置。
【請求項６】
判別部は、読み取られた画像のサイズを検出し、前記サイズが原稿に基づく規定サイズより小さいか否かを判別し、前記サイズが規定サイズより小さいとき、原稿が綴じられた原稿であると判別することを特徴とする請求項１に記載の画像処理装置。
【請求項７】
原稿が綴じられた原稿と判別されたとき、規制部は、処理を中止することを特徴とする請求項１〜６のいずれかに記載の画像処理装置。
【発明の詳細な説明】
【技術分野】
【０００１】
本発明は、原稿の種類に応じて処理を規制する画像処理装置に関する。
【背景技術】
【０００２】
近年、高性能の画像処理装置が製品化されており、書籍等の著作物を複写することでオリジナルに近いコピーを作成することが容易となっている。そのため、著作権者に無断で、著作権を有する書籍等を画像処理装置によって不法にコピーし、配信するといった著作権違反が多発している。このような、不法なコピーの配信を防ぐために、例えば、画像データを格納しているサーバに対して、ユーザが所望する画像データの使用時における許可条件を指定し、サーバが許可条件に基づいて使用を許可した場合に、ユーザが画像データをサーバから受け取ることで、私的使用を許容しつつ、不正コピーを防止するシステムが提案されている。このように、データ化された著作物については、私的使用を目的とした場合に限り、そのコピーを許可するシステムが提案されている。
【０００３】
一方、画像処理装置によって著作権を有する書籍等を不法にコピーすることを防止する技術として、例えば、特許文献１には、原稿に付された情報タグ、または、読み取った画像データに、画像形成を制限する制限情報が含まれているか否かを判定する印刷可否判別部と、制限情報が含まれている場合、画像が形成された記録用紙に基づく画像形成を規制する規制情報が付加された規制情報付き記録用紙を選択する出力用紙選択部とを備え、複写物を原本としたコピーを制限することが開示されている。
【特許文献１】特開２００７−１３８４２公報
【発明の開示】
【発明が解決しようとする課題】
【０００４】
ところで、特許文献１では、書籍等をコピーした複写物からのコピー禁止を実現しているが、個々の書籍に情報タグを備える必要があり、書籍が多い場合には情報タグの費用、ＲＦタグの取り付け費用等が発生するとともに、ＲＦタグが取り外されてしまうとコピー禁止処理が不可能となる。
【０００５】
そこで、本発明は、上記問題を鑑み、読み取った画像から原稿の種類を判断し、原稿の種類に応じて処理を規制する画像処理装置を提供することを目的とする。
【課題を解決するための手段】
【０００６】
本発明では、原稿台に置かれた原稿を読み取る読取部を備えた画像処理装置であって、読み取った画像から綴じられた原稿か否かを判別する判別部と、綴じられた原稿と判断したときに処理を規制する規制部とを有することを特徴とする。
【０００７】
書籍等の綴じられた原稿を読み取ったとき、読み取った画像には黒スジといった特定画像が現れる。読取部は、この特定画像の有無を検出して、綴じられた原稿を判別する。具体的には、判別部は、読み取った画像にある特定領域に特定画像があるか否かを検出し、検出した特定画像の形態に応じて綴じられた原稿か否かを判別する。
【０００８】
綴じられた原稿の読取画像では、通常、画像の中央部および端部に、特定画像を有する特定領域が生じる。例えば、特定領域が画像の略中央にあるとき、判別部は、画像の略中央に黒スジの特定画像があるか否かを検出する。黒スジの特定画像がある場合、判別部は、原稿が綴じられた原稿であると判別する。特定画像が黒スジでない場合、あるいは、黒スジの特定画像がない場合、判別部は、原稿が綴じられた原稿でないと判別する。
【０００９】
特定領域が画像の端部のいずれか一方または両方にあるとき、判別部は、画像の端部のいずれか一方あるいは両方に黒スジの特定画像があるか否かを確認する。黒スジの特定画像がある場合、判別部は、原稿が綴じられた原稿と判別する。特定画像が黒スジでない場合、あるいは、黒スジの特定画像がない場合、判別部は、原稿が綴じられた原稿でないと判別する。
【００１０】
綴じられた原稿の中でも、厚さの薄い原稿の場合、明瞭に黒スジが現れない場合がある。このような原稿において、画像の中央付近にある特定画像は歪んでいる。そこで、特定領域が、画像の略中央とその周囲を含む領域のとき、判別部は、特定領域に含まれる絵や文字等の特定画像が歪んでいるか否かを確認する。そして、判別部は、特定画像が歪んでいると判別した場合、原稿が綴じられた原稿と判別する。特定画像が歪んでいないと判別した場合、原稿が綴じられた原稿でないと判別する。
【００１１】
これにより、綴じられた原稿の厚みが薄い場合であっても、読み取った画像から綴じられた原稿であるか否かを判別することができる。
【００１２】
綴じられた原稿を原稿台に置いたとき、綴じた部分が原稿台から浮いた状態となり、読み取られた画像のサイズが原稿のサイズよりも小さくなる。そこで、判別部は、読み取られた画像のサイズを検出する。検出した前記サイズが規定サイズより小さいか否かを判別する。前記サイズが規定サイズより小さい場合は、綴じられた原稿と判断する。前記サイズが規定サイズと同じ、あるいは、大きい場合は、綴じられた原稿でないと判断する。
【００１３】
原稿が綴じられた原稿と判別されたとき、規制部は、処理を中止することを特徴とする。この構成によると、規制部は、判別部が綴じられた原稿と判断したとき、ユーザからの指示に基づいて行なう処理を規制する。これにより、画像処理装置は、不法にコピーすることを防止することができる。
【発明の効果】
【００１４】
以上のとおり、本発明は、特殊な記録シートや高価なＲＦタグといったものを使用せずに、原稿の種類を判別することができる。そのため、著作権を有する書籍等の不法なコピーを防止することができる。
【発明を実施するための最良の形態】
【００１５】
本発明の画像処理装置Ａは、コピーモード、プリントモード、スキャナモード、ドキュメントファイリングおよびファクシミリモード等の処理を実行するデジタル複合機である。画像処理装置Ａは、図１〜図４に示すように、キャビネット２に、原稿を読み取って画像データを入力する画像読取部２１０と、画像データを処理して印刷する画像形成部２２０と、画像データを記憶する画像記憶部４００と、入力操作のための操作部２４０と、処理部を制御して、モードに応じた画像データの処理を実行する制御部３００とを備えている。なお、処理部は、入力された画像データを出力するために処理するものであり、画像形成部２２０、画像記憶部４００とされる。
【００１６】
画像読取部２１０は、原稿の画像を読み取り、読み取った画像を処理するものであり、セットされた原稿の画像を読み取るスキャナ部１０と、原稿からの反射光を受光して画像を光電変換するＣＣＤ２６とを備える。
【００１７】
画像読取部２１０は、キャビネット１の上方に配置され、原稿の画像を読み取る読取部であるスキャナ部１０と、原稿自動搬送部１１とを備えている。原稿自動搬送部１１は、スキャナ部１０の上方に設けられ、スキャナ部１０に対して原稿を自動的に搬送する。
【００１８】
キャビネット１の上面に、プラテンガラスからなる原稿台１２が設けられ、原稿台１２を覆う原稿カバー１３が設けられる。原稿自動搬送部１１は、原稿カバー１３に一体的に搭載される。原稿カバー１３は、開閉自在とされ、原稿カバー１３が閉状態のとき、原稿自動搬送部１１によって原稿が搬送される。原稿カバー１３が開状態のとき、原稿を原稿台１２に載置できる。
【００１９】
原稿カバー１３の開閉は、カバー開閉検出部により検出される。カバー開閉検出部は、マイクロスイッチ、光センサからなり、原稿カバー１３の開閉に応じてオンオフする。また、原稿台１２に載置された原稿のサイズを検出する原稿サイズ検出センサが設けられている。
【００２０】
原稿が原稿自動搬送部１１の原稿セットトレイ１５にセットされると、原稿検出センサ１６が原稿をセットされたことを検出する。そして、操作パネル６において、印刷するシートのサイズおよび変倍率等のコピー条件が入力される。その後、スタートキーの入力操作により、原稿の画像の読み取りが開始される。
【００２１】
原稿自動搬送部１１において、ピックアップローラ１７により原稿セットトレイ１５上の各原稿が１枚ずつ引き出される。原稿は、捌き板１８と搬送ローラ１９間を通って、原稿台１２に送り出される。原稿は、原稿台１２上で副走査方向に搬送され、原稿排出トレイ２０に排出される。原稿排出トレイ２０には、原稿排出センサが設けられ、原稿排出トレイ２０上の原稿の有無が検出される。
【００２２】
スキャナ部１０は、第１読取部２１および第２読取部２２を備えている。原稿台１２の一側に、読取領域が形成され、原稿が原稿台１２を搬送されるとき、読取領域を通過する。読取領域の下方には、第１読取部２１の第１走査ユニット２３が位置して、原稿の表面（下側面）が読み取られる。
【００２３】
原稿自動搬送部１１によって原稿が原稿台１２に搬送されるとき、第１走査ユニット２３は読取位置に移動して位置決めされ、第２走査ユニット２４も所定位置に位置決めされる。第１走査ユニット２３の露光ランプにより、原稿の表面が原稿台１２の下方から照射される。原稿からの反射光は、第１、第２走査ユニット２３、２４の各反射ミラーにより結像レンズ２５に導かれる。原稿の反射光は、結像レンズ２５によりＣＣＤ２６に集光される。原稿の表面の画像がＣＣＤ２６上に結像される。これにより、搬送される原稿の表面の画像が読み取られる。
【００２４】
また、第２読取部２２によって、原稿の裏面（上側面）が読み取られる。第２読取部２２は、原稿台１２の上方に配置され、原稿の裏面を照射するＬＥＤ、蛍光灯等を有する露光ランプアレイ、画素毎に原稿の反射光を集光するセルフォックレンズアレイ、セルフォックレンズアレイを通じて受光した原稿からの反射光を光電変換して、アナログの画像信号を出力する密着イメージセンサ（ＣＩＳ；Ｃｏｎｔａｃｔ  ｉｍａｇｅ  Ｓｅｎｓｏｒ）等を備えている。これにより、搬送される原稿の裏面の画像が読み取られる。
【００２５】
原稿台１２に原稿を載置したとき、第１読取部２１により原稿の表面の画像が読み取られる。第１、第２走査ユニット２３、２４は相互に所定の速度関係を維持しつつ副走査方向に移動する。第１走査ユニット２３によって、原稿台１２上の原稿が露光され、第１、第２走査ユニット２３、２４によって、原稿からの反射光が結像レンズ２５に導かれる。結像レンズ２５によって、原稿の画像がＣＣＤ２６上に結像される。
【００２６】
このようにして、原稿の片面もしくは両面の画像が読み取られると、原稿の片面もしくは両面の画像データが制御部３００に入力される。
【００２７】
制御部３００は、読み取られた画像の画像処理をする画像処理部３０４と、画像データに機器特定パターンを付加する特定パターン付加部３０８と、画像データにコピー禁止やスキャン禁止といった付加情報を生成する付加情報発生部３１１と、付加情報を生成するように付加情報発生部３１１を制御する付加情報指示部３１０と、画像データに機器特定パターンと付加情報を合成して印刷用の画像データを生成する画像合成部３０９とを有する。
【００２８】
画像処理部３０４は、画像読取部２１０から画像データが入力されると、入力された画像データを展開して原画像を生成し、原画像に各種の画像処理を施し、画像合成部３０９に出力する。
【００２９】
特定パターン付加部３０８は、画像処理装置の機種やシリアル番号、処理を指示したユーザ、画像データの処理日時といった画像データの処理に関する情報を示す機器特定パターンを生成する。特定パターン付加部３０８は、ＣＰＵ３０１により動作を制御され、機器特定パターンを生成して、画像合成部３０９に出力する。
【００３０】
付加情報指示部３１０は、ＣＰＵ３０１により動作を制御される。付加情報指示部３１０は、入力された操作内容に応じたＣＰＵ３０１の指示に基づいて、付加情報を生成するように付加情報発生部３１１を制御する。付加情報発生部３１１は、付加情報指示部３１０からの指示に応じて、付加情報、例えば、コピー禁止、社外秘、スキャン禁止等の情報を生成して、画像合成部３０９に出力する。
【００３１】
画像合成部３０９は、入力された画像データに機器特定パターンと付加情報を合成し、ＣＰＵ３０１からの指示に基づいて、印刷用の画像データを生成し、画像形成部２２０に出力する。
【００３２】
画像形成部２２０は、合成され画像データに基づいて、記録シートにカラー画像あるいは白黒画像を印刷する。画像形成部２２０は、レーザスキャンユニット３０、４つの画像ステーション３１、中間転写ベルトユニット３２、定着装置３３、搬送装置３４を備えている。
【００３３】
各画像ステーション３１は、ブラック、シアン、マゼンタ、イエローの各色に応じたカラー画像をそれぞれ形成する。各画像ステーション３１は、感光体ドラム３５、現像装置３６、帯電装置３７、クリーニング装置３８、除電装置（図示せず）を備えている。
【００３４】
感光体ドラム３５は、一方向に回転駆動され、クリーニング装置３８は、感光体ドラム３５の表面の残留トナーをクリーニングし、除電装置は、感光体ドラム３５の表面を除電する。帯電装置３７は、感光体ドラム３５の表面を均一に帯電する。
【００３５】
レーザスキャンユニット３０では、画像読取部等から入力された画像データに基づいてレーザ光を変調し、このレーザ光によって感光体ドラム３５の表面を主走査方向に繰り返し走査して、静電潜像を感光体ドラム３５の表面に形成する。現像装置３６は、トナーを感光体ドラム３５の表面に供給して、静電潜像を現像し、トナー像を感光体ドラム３５の表面に形成する。
【００３６】
中間転写ベルトユニット３２は、中間転写ベルト４０、中間転写ローラ４１、転写ベルトクリーニング装置４２、テンション機構４３を備えている。中間転写ベルト４１は、各感光体ドラム３５の上方に配置され、駆動ローラ４４および従動ローラ４５に掛け巻きされて、矢印Ｂの方向に回転する。
【００３７】
中間転写ローラ４１は、中間転写ベルト４０を挟んで感光体ドラム３５に対向して配置され、転写バイアス電圧が印加されている。トナーと逆極性の電圧が中間転写ローラ４１により印加されることにより、感光体ドラム３５の表面のトナー像が中間転写ベルト４０に転写される。各色のトナー像が中間転写ベルト４０に積層され、合成された多色のトナー像が形成される。
【００３８】
転写ローラ４１は中間転写ベルト４０に圧接されて配置され、トナーとは逆極性の電圧が印加されている。中間転写ベルト４０上のトナー像は、転写ローラ４６と中間転写ベルト４０との間に搬送されたシートに、転写ローラ４６によって転写される。転写ベルトクリーニング装置４２により、中間転写ベルト４０に残存しているトナーが除去される。
【００３９】
シートに転写されたトナー像は、定着装置３３により加熱および加圧されて、シート上に定着され、画像がシートに形成される。このようにして画像が印刷されたシートは、キャビネット１の上部に設けられた排出トレイ５０に排出される。
【００４０】
搬送装置３４は、シートカセット５１あるいは手差しトレイ５２からシートを搬送路５３に沿って搬送する。搬送路５３は、中間転写ベルト４０と転写ローラ４６との間、定着装置３３を通り、排出トレイ５０に至る。
【００４１】
搬送装置３４は、ピックアップローラ５４、搬送ローラ５５、レジストローラ５６、排出ローラ５７を備えている。シートカセット５１あるいは手差しトレイ５２のシートは、１枚ずつ搬送路５３に送り出され、搬送路５３を搬送されて、排出トレイ５０に排出される。このシートの搬送中に、画像がシートに印刷される。また、両面印刷のために、スイッチバック搬送路５８が設けられている。定着後のシートは、搬送ローラ５５によりスイッチバック搬送路５８を通り、中間転写ベルト４０と転写ローラ４６との間に搬送される。両面印刷されたシートは、定着装置３３を通り、排出トレイ５０に排出される。
【００４２】
操作部２４０は、スキャナ部１０に設けられ、入力部２４２および表示部２４１を有する。入力部２４２は、各種の操作キーを備えている。表示部２４１は、液晶ディスプレイからなり、タッチパネルとされる。表示部２４１に表示される操作画面内にタッチキーが形成され、これらも操作キーとして機能する。
【００４３】
画像記憶部４００は、ハードディスク装置からなる。画像記憶部４００は、画像読取部２１０から入力された画像データを記憶する。なお、入力された画像データは、一旦ＤＲＡＭ等の画像メモリに保存され、画像処理や暗号化処理が施された後、画像メモリから画像記憶部４００に転送される。また、画像記憶部４００から画像データを読み出すとき、画像データは、画像処理や復号化処理され、画像メモリに保存される。その後、画像データは、実行される処理にしたがって、印刷、データ送信、ファクシミリ通信によって外部に出力される。
【００４４】
制御部３００は、ＣＰＵ３０１、ＲＯＭ３０２、ＲＡＭ３０３を有するマイクロコンピュータからなり、ＣＰＵ３０１は、ＲＯＭ３０３に格納されている制御プログラムをＲＡＭ３０２に読み出して、制御プログラムを実行する。制御プログラムにしたがって、各部が動作する。画像データの入力があると、入力部２４２からの入力情報や外部装置から入力された画像データのヘッダ情報に含まれる処理条件に基づいて、プリントモード、コピーモード、スキャナモード、ファクシミリモードのいずれかのモードが実行される。
【００４５】
制御部３００は、各モードを行なうとき、入力された画像データを画像記憶部４００に一時的に保存する。また、制御部３００は、入力された画像データを画像記憶部４００に保存して管理するファイリングモードを実行する。保存された画像データは、指示された処理にしたがって再出力される。
【００４６】
出力された画像データは、制御部３００からの指示により、画像記憶部４００から消去される。この消去に際して、画像データにランダムなデータを上書きすることによって、画像データを復元できないように無効化する。この無効化処理、さらには暗号化処理および復号化処理を行なうために、画像処理装置Ａにセキュリティキットが搭載される。制御部３００の指示によってセキュリティキットが動作することにより、画像データの不正使用を防止できる。
【００４７】
ここで、著作権を有する書籍等の綴じられた原稿８０が不正にコピーされないようにするために、ＣＰＵ３０１には、読み取った画像から綴じられた原稿８０か否かを判別する判別部３０６と、綴じられた原稿８０と判断したときに処理を規制する規制部３０７とを備える。
【００４８】
判別部３０６は、画像読取部２１０から読み取った画像にある特定領域の特定画像を検出する。そして、判別部３０６は、検出した特定画像の形態に応じて綴じられた原稿８０か否かを判別する。
【００４９】
通常、書籍や書類といった綴じられた原稿８０を原稿台１２に載置して、読取処理をする場合、図５に示すように、綴じられた原稿８０を左右に拡げた見開き面を下向きにして読み取る。このとき、綴じられた原稿８０の見開き面の中央部分Ｆが原稿台１２から浮き上がる。そのため、図６に示すように、読み取った画像の略中央７１には、特定画像である黒スジが形成される。
【００５０】
また、綴じられた原稿８０の中央部分Ｆが浮き上がるため、綴じられた原稿８０の見開き方向の長さＬは、綴じられた原稿８０に基づく規定長さよりも短くなる。詳しくは、長さＬは、綴じられた原稿８０を見開いた際の見開き方向の端部から端部までの実際の長さよりも短くなる。そのため、図５に示すように、読み取った画像の端部７０の一方あるいは両方に特定画像である黒スジが形成される。
【００５１】
そこで、判別部３０６は、画像の略中央７１あるいは画像の端部７０を特定領域とし、そのいずれかに特定画像である黒スジがあるかを検出する。黒スジがある場合は綴じられた原稿８０と判別する。黒スジがない場合は綴じられた原稿８０でないと判別する。
【００５２】
ところで、綴じられた原稿８０の厚みが薄い場合、原稿台１２に綴じられた原稿８０を左右に拡げた見開き面を下向きにして載置しても、綴じられた原稿８０の中央部分Ｆは、原稿台１２から少ししか浮き上がらない。そのため、読み取った画像の略中央７１には、明瞭に黒スジが現れない場合がある。また、綴じられた原稿８０の中央部分Ｆが原稿台１２から少ししか浮き上がらないため、綴じられた原稿８０の見開き方向の長さＬは、綴じられた原稿８０に基づく規定長さに対して若干しか短くならない。そうすると、読み取った画像の端部７０の一方あるいは両方に特定画像である黒スジが現れない場合がある。
【００５３】
そこで、他の判別手段として、判別部３０６は、画像の略中央７１とその周囲を含む領域を特定領域として、特定領域７１にある特定画像、すなわち、文字や写真といった画像が歪んでいる画像があるか否かを検出する。文字や写真といった画像が歪んでいる特定画像がある場合は原稿が綴じられた原稿８０であると判別する。文字や写真といった画像が歪んでいる特定画像がない場合は原稿が綴じられた原稿８０でないと判別する。
【００５４】
他の判別手段として、判別部３０６は、読み取った画像のサイズを検出する。そして、読み取った画像のサイズが原稿に基づく規定サイズより小さいか否かを検出する。読み取った画像のサイズが規定サイズより小さい場合は原稿が綴じられた原稿８０であると判別し、読み取った画像のサイズが規定サイズと同じ場合は原稿が綴じられた原稿８０でないと判別する。
【００５５】
綴じられた原稿８０を読取処理する場合、前述したように綴じられた原稿８０の中央部分Ｆは多少なりとも原稿台１２から浮き上がる。そのため、綴じられた原稿８０の見開き方向の長さＬは、少なくとも綴じられた原稿８０に基づく規定の長さよりも短くなる。すなわち、読み取った画像サイズは、綴じられた原稿８０を見開いた状態のサイズよりも小さくなる。そこで、判別部３０６は、読み取った画像サイズと、綴じられた原稿８０に基づく規定サイズとを比較し、その結果に基づいて綴じられた原稿８０であるか否かを判別する。
【００５６】
綴じられた原稿８０に基づく規定サイズは、公知の原稿サイズ検知センサによって検出される。綴じられた原稿８０に基づく規定サイズ操作部２４０に設けられたブックモード設定キー２４４から設定しても良い。この場合、設定は特定のユーザ、例えば、画像処理装置Ａを管理する管理者によって設定される。具体的には、管理者は、先ず、ブックモード設定キー２４４を押下して、表示部２４１に設定画面を表示させる。そして、表示画面に沿って数値を入力する。データが入力されると終了ボタンを押下する。入力されたデータは、画像記憶部４００に記憶される。
【００５７】
判別部３０６は、前述した３つの判別手段を用いて、綴じられた原稿か否かを判断する。具体的には、判別部３０６は、特定領域７０，７１に特定画像であるか黒スジがあるかを検出する。特定画像が検出されなかった場合、判別部３０６は、特定領域７１に文字や写真といった画像が歪んでいる特定画像があるか否かを検出する。歪んでいる特定画像が検出されなかった場合、判別部３０６は、読み取った画像サイズと綴じられた原稿８０に基づく規定サイズとを比較する。これにより、判別部３０６は、原稿が綴じられた原稿であるか否かを判別する。
【００５８】
なお、３つの判別手段を同時に使用しても良い。または、いずれか１つあるいは２つの判断手段を使用しても良い。これらは、設定可能とされる。
【００５９】
規制部３０７は、ＣＰＵ３０１の機能の１つであって、判別部３０６の判別結果に応じて、処理を続行するか、中止するかを決定し、その結果に基づいて各装置を制御する。具体的には、判別部３０６によって原稿が綴じられた原稿と判別されると、規制部３０７は、現在実行している処理を中止するように制御する。例えば、実行している処理がコピーの場合、規制部３０７は、判別部３０６から結果を受信すると、処理を実施している装置、例えば、印刷処理をしているときは画像形成部２２０に対して、画像データを合成しているときは画像合成部３０９に対して、印刷処理を中止するように指示する。処理を実施している装置は、規制部３０７からの指示に基づいて、印刷処理を中止する。
【００６０】
実行している処理がスキャンの場合、規制部３０７は、判別部３０６から結果を受信すると、読み取った画像データを保存する画像記憶部４００に対して、保存された画像データを消去するように指示する。画像記憶部４００は、規制部３０７からの指示に基づいて、画像データを消去する。
【００６１】
実行している処理がＦＡＸの場合、規制部３０７は、判別部３０６から結果を受信すると、読み取った画像データを一時的に保存するＲＡＭ３０３に対して、保存された画像データを消去するように指示する。ＲＡＭ３０３は、規制部３０７からの指示に基づいて、画像データを消去する。
【００６２】
実行している処理がドキュメントファイリングの場合、規制部３０７は、判別部３０６から結果を受信すると、読み取った画像データを保存する画像記憶部４００に対して、保存された画像データを消去するように指示する。画像記憶部４００は、規制部３０７からの指示に基づいて、画像データを消去する。
【００６３】
そして、規制部３０７は、処理を中止したことをユーザに報知するために、表示部２４１に処理を中止したことを報知する報知画面を表示するように指示をする。表示部２４１は、規制部３０７の指示に基づいて、報知画面を表示する。
【００６４】
次に、読み取った画像から原稿の種類を判別する動作を説明する。なお、説明の便宜上、原稿は、図４および図５に示すような、厚みのある綴じられた原稿８０とする。また、実行するモードは、コピーモードである。判別部３０６は、特定画像が黒スジであるか検出する判別手段で原稿を判別する。
【００６５】
先ず、ユーザは、原稿を原稿台１２に載置して、操作キーを操作して、所望の処理を選択する。スタートキーが操作されると、ＣＰＵ３０１は、入力された操作内容に基づいて、画像読取部２１０に読み取り動作を開始させる。
【００６６】
画像読取部２１０は、原稿台１２に載置された原稿の画像を読み取る。画像読取部２１０は、読み取った画像を、画像処理部２０４と判別部３０６とに出力する。
【００６７】
判別部３０６は、読み取った画像にある特定領域７０，７１に特定画像があるか否か検出する。特定領域７０，７１に特定画像である黒スジを検出した場合、判別部３０６は、原稿が綴じられた原稿８０であると判別する。特定領域７０，７１に黒スジを検出しなかった場合、判別部３０６は、綴じられた原稿８０でないと判別する。そして、判別部３０６は、その結果を規制部３０７に出力する。
【００６８】
画像処理部３０４に出力された画像データにおいては、判別部３０６によって原稿の種類を判別する作業と同時進行して処理がされる。具体的には、ＣＰＵ３０１が画像データのヘッダ情報に含まれる処理条件に基づいて、画像処理部３０４と特定パターン付加部３０８と付加情報指示部３１０と画像合成部３０９とを制御する。
【００６９】
画像処理部３０４は、画像データが入力されると、画像データを展開して原画像を生成し、原画像に各種の画像処理を施し、画像合成部３０９に出力する。特定パターン付加部３０８は、機器特定パターンを生成して、画像合成部３０９に出力する。付加情報指示部３１０は、ＣＰＵ３０１の指示に基づいて、付加情報を生成するように付加情報発生部３１１を制御する。付加情報発生部３１１は、付加情報指示部３１０からの指示に応じて、付加情報を生成し、画像合成部３０９に出力する。
【００７０】
画像合成部３０９は、入力された画像データに機器特定パターンと付加情報を合成し、ＣＰＵ３０１からの指示に基づいて、印刷用の画像データを生成して画像形成部２２０に出力する。
【００７１】
このとき、判別部３０６によって原稿が綴じられた原稿８０であると判別した場合、規制部３０７は、画像形成部２２０に対して、印刷処理を中止するように指示する。画像形成部２２０は、規制部３０７からの指示に基づいて、印刷処理を中止する。
【００７２】
規制部３０７は、印刷処理を中止したことを示す表示画面を表示部２４１に表示させるように指示をし、表示部２４１が処理中止の表示画面を表示する。そして、画像処理装置Ａは、次の操作入力がされるまで待機状態となる。
【００７３】
判別部３０６によって原稿が綴じられた原稿８０でないと判別した場合は、制御部３００は、画像形成部２２０に対して、印刷処理を中止する指示をしない。そのため、画像形成部２２０は、通常通りに、入力された操作内容に基づいて印刷処理を続行させる。
【００７４】
なお、特定領域の特定画像を検出すると、実行中の処理を中止する禁止モードが実行される。しかし、書籍等の綴じられた原稿８０をコピーしなければならないとき、認証されたユーザが、この禁止モードを解除することができる。すなわち、認証されたユーザは、モードの設定において、禁止モードを無効に設定する。
【００７５】
なお、本発明は、上記実施形態に限定されるものではなく、本発明の範囲内で上記実施形態に多くの修正および変更を加え得ることは勿論である。例えば、綴じられた原稿を読み取る際、必ずしも、特定領域の特定画像が検出されるとは限らない。例えば、綴じられた原稿の最初の何ページかは、特に特定画像が現れにくい。そうすると、判別部は、綴じられた原稿の最初の何ページかを読み取った段階では、綴じられた原稿であると判別することができない。この場合、例えば、実行しているモードがコピーモードの場合、はじめの何ページかはそのまま印刷処理がされてしまう。
【００７６】
そこで、画像形成部や画像合成部といった装置は、規制部からの指示を待ってから処理を開始する。例えば、コピーの場合、全ての画像の読み取りが終了するまで規制部は、画像形成部に対して指示をしない。画像の読取処理の途中で、綴じられた書籍と判別部が判断したときは、その結果が入力されると同時に、画像形成部に対して処理を中止し、保存した画像データを消去するように指示をする。
【００７７】
上記構成によると、画像処理装置は、規制部が処理を続行する、あるいは、中止するの判断をするため、不要に印刷されることがない。これにより、著作権を有する書籍等の不法なコピーを防止することができる。
【００７８】
なお、画像形成部は、印刷用の画像を保存することなく、そのまま印刷しても良い。規制部から印刷処理の指示が入力されてから、処理を中止しても良い。これによると、と知られた原稿を全てコピーすることができないので、著作権を有する書籍等の不法なコピーを防止することができる。
【図面の簡単な説明】
【００７９】
【図１】本実施形態に係る画像処理装置の全体図
【図２】画像処理装置の上面斜視図
【図３】画像処理装置のブロック図
【図４】画像データの流れを示す画像処理装置のブロック図
【図５】綴じられた原稿を示す図
【図６】綴じられた原稿を読み取った画像を示す図
【符号の説明】
【００８０】
Ａ  画像処理装置
Ｆ  見開き面の略中央
Ｌ  見開き方向の長さ
１０  スキャナ
２６  ＣＣＤ
３０  ＬＳＵ
２１０  画像読取部
２２０  画像形成部
２４０  操作部
２４１  表示部
２４２  入力部
２４４  ブックモード設定キー
３００  制御部
３０１  ＣＰＵ
３０４  画像処理部
３０６  判別部
３０７  規制部
４００  画像記憶部
【図１】
2008306462.tif 000003
【図２】
2008306462.tif 000004
【図３】
2008306462.tif 000005
【図４】
2008306462.tif 000006
【図５】
2008306462.tif 000007
【図６】
2008306462.tif 000008